(57)【要約】      （修正有）【課題】フィルターの洗浄や交換の自動化、その過程でのフィルターが収集した微粉粒子の設備内部への還流防止、使用者のフィルターの取外しで遭遇する危険の軽減などを実現し、フィルターの洗浄または交換の利便性を高めることができるフィルター自動交換装置を提供する。【解決手段】フィルター自動洗浄・交換装置であって、フィルター３１と、フィルターの移動を起動する伝動装置３２と、伝動装置に接続されフィルター３１の使用状態に応じて伝動装置を自動駆動してフィルター３１を移動してフィルター３１を自動交換する動力装置を有している。【選択図】図３
2008049329.tif 000002
【特許請求の範囲】
【請求項１】
設備またはシステム内に応用する一種のフィルター自動交換装置であって、少なくとも１つのフィルターと、前記フィルターの移動を起動するのに用いられる１つの伝動装置と、前記伝動装置に接続されかつ前記フィルターの使用状態に応じて前記伝動装置を自動駆動して前記フィルターの移動を起動し前記フィルターの自動交換をする動力装置とを有していることを特徴とする自動交換装置。
【請求項２】
前記フィルターが巻取り式フィルターと折畳み式フィルターから選択され、前記動力装置がステップモーターであり、前記折畳み式フィルターが前記フィルター自動交換装置の１つの収納部内に収納されることを特徴とする請求項１に記載の装置。
【請求項３】
前記伝動装置が１つの伝動軸ユニットであり、該伝動軸ユニットが、前記動力装置に接続されて前記動力装置の駆動に応じて回転する１つの駆動歯車と、前記駆動歯車と相組み合わさり前記駆動歯車の駆動に応じて回転する１つの第１の歯車ユニットと、前記第１の歯車ユニットと相組み合わさり前記第１の歯車ユニットの回転に応じて前記フィルターの部分移動をする第１のフィルター回転軸と、前記第１の歯車ユニットに相対する１つの第２の歯車ユニットと、前記第１の歯車ユニットと前記第２の歯車ユニットに接続されて第１の歯車ユニットの回転に応じて前記第２の歯車ユニットの回転を起動する１つの伝動ベルトと、前記第２の歯車ユニットに接続され前記第２の歯車ユニットの回転に応じて前記第２のフィルター回転軸に巻取られた前記フィルターを部分的に送り出す第２のフィルター回転軸とを有していることを特徴とする請求項１に記載の装置。
【請求項４】
更に１つの裁断装置が設けられており、前記第１のフィルター回転軸に隣接して設けられ、前記第１のフィルター回転軸で駆動して送り出した前記部分フィルターを切断するのに用いられ、その中の前記裁断装置は自動式または手動式の裁断装置であることを特徴とする請求項３に記載の装置。
【請求項５】
前記第１のフィルター回転軸が取外し可能式であり、それで巻き取った前記部分フィルターを移動除去するのに用いられることを特徴とする請求項３に記載の装置。
【請求項６】
更に１つの位置決め機構が設けられていて前記フィルターの位置決めに用いられるとともに前記フィルターの張力を提供し、前記位置決め機構が前記伝動装置と相組み合わされて前記フィルターの位置決めと前記フィルターを平らに整えることに用いられる少なくとも１つの位置決め板と、前記位置決め板に接続され前記位置決め板の張力を提供するのに用いる少なくとも１つのバネユニットとを有していることを特徴とする請求項１に記載の装置。
【請求項７】
前記フィルターには複数個の図を載せた図案があり、前記フィルターが切取り線または折り線を具えており、その中の前記切取り線または前記折り線は前記フィルターを複数個のフィルターユニットに分けており、前記切取り線は各前記隣接するフィルターユニット間に少なくとも２個の接続部を持たせており、前記フィルターは１つの平面または曲面を具えていることを特徴とする請求項１に記載の装置。
【請求項８】
さらに、前記フィルターに隣接して前記フィルターの使用状態を測定するのに用いられかつ前記設備またはシステムが１つの制御信号を生じることで、前記動力装置の駆動を制御するセンサー装置と、前記設備またはシステムの内部または外部に設けられて前記フィルターの使用状態に応じて警報信号を提供する警報装置と、１つの遠隔リモコン装置の制御を受ける遠隔制御信号受信装置とが設けられていることを特徴とする請求項１に記載の装置。
【請求項９】
設備またはシステムが、冷房設備、空気清浄設備、厨房油煙排出設備、除湿設備、暖房設備および下水道システムからなる群から選ばれることを特徴とする請求項１に記載の装置。
【請求項１０】
設備またはシステム内に応用されかつ、１つの循環式フィルターと、前記循環式フィルターの移動を起動する伝動装置と、前記伝動装置に接続されて前記循環式フィルターの使用状態に応じて前記伝動装置を自動駆動して前記循環式フィルターの移動を起動しかつ前記循環式フィルターの自動交換をする動力装置と、前記循環式フィルターの洗浄に用いる洗浄装置とを有してなることを特徴とするフィルター自動交換装置。
【請求項１１】
前記循環式フィルターが巻取り回転式フィルターであり、前記動力装置はステップモーターであることを特徴とする請求項１０に記載の装置。
【請求項１２】
前記洗浄装置が超音波洗浄装置、ブラシ式洗浄装置、吸塵式洗浄装置、回転翼洗浄装置、液供給ポンプ装置およびその組合せからなる群から選ばれ、該洗浄装置が１つの洗浄水槽を含み、前記フィルター自動交換装置が更に１つの乾燥装置を含んでいて前記循環式フィルターの乾燥に用いることを特徴とする請求項１０に記載の装置。
【請求項１３】
前記洗浄装置の洗浄液が前記設備またはシステムの冷却水を使用し、前記洗浄装置が前記設備またはシステムで回収した前記冷却水を収集する冷却水回収装置と、洗浄液を貯蔵する洗浄液貯蔵タンクと、を有しており、第１送入端と第２送入端と送出端を具えていて第１送入端と前記冷却水回収装置を接続して、前記設備またはシステムで回収した前記冷却水を収集タンクに導入し前記第２送入端と前記洗浄液貯蔵タンクを接続して、前記洗浄液を収集タンクに導入し前記送出端は収集タンク内の洗浄液の排出に用いられ洗浄液貯蔵タンク内の前記洗浄液は前記動力装置が動くと自動的に収集タンクに導入される収集タンクとを有していることを特徴とする請求項１２に記載の装置。
【請求項１４】
設備またはシステム内に応用されて少なくとも１つのフィルターと、前記フィルターの移動を起動する伝動軸ユニットとを有しており、かつ該伝動軸ユニットが第１のフィルター回転軸と、第２のフィルター回転軸と、前記第１のフィルター回転軸に接続されて前記フィルターの使用状態に応じて前記伝動軸ユニットを自動駆動して前記フィルターの移動を起動して前記フィルターの自動交換をする動力装置とを有していることを特徴とする一種のフィルター自動交換装置。
【請求項１５】
前記第１のフィルター回転軸が前記動力装置に接続されて前記動力装置の回転に応じて前記フィルターの部分移動をし、前記第２のフィルター回転軸が前記第１のフィルター回転軸の回転に応じて前記フィルターを動かすことを特徴とする請求項１４に記載の装置。
【発明の詳細な説明】
【技術分野】
【０００１】
この発明はフィルター自動交換装置に係るもので、特に、空調設備、油煙排出設備、濾過設備および下水道システムに応用して、設備またはシステム内部のフィルターの取替えまたは洗浄の利便性を高めることができるフィルター自動交換装置に係るものである。
【背景技術】
【０００２】
科学技術の進歩に伴い各種電気設備の設計と応用は人々の生活を更に便利にするほか、次第に人々の生活環境の品質と健康を改善させてきている。例えば、室内温度、湿度および／または微粉粒子の数量の制御等、人々の日常生活の環境と空間の健康および快適さを改善および向上させることは、次第に重視されてきており、よって空調設備は日常生活内で不可欠な電気設備となってきている。
【０００３】
空調設備を例にとると、フィルターはその内部を集塵装置として用いる一種の重要な装置であり、微粉粒子が空調設備の空気取入れ口から設備内部に流入するおよび／または空調設備の空気排出口から環境空間中に流出することを防ぐのに用いる。
【発明の開示】
【発明が解決しようとする課題】
【０００４】
図１に示したように、空調設備１のフィルター１０は取外し可能に空調設備１の本体１１内部に設けられ、利用者は本体１１上の前面板１２を開きさえすればフィルター１０を取り外し、フィルター１０を洗浄または交換することが可能である。フィルター１０を洗浄または交換した後、再び交換または洗浄後のフィルター１０を設置位置に装着し、前面板１２を元の位置に被せればフィルターの取替えは完了する。
【０００５】
しかし、伝統的なフィルターの洗浄と取替えの方法には数多くの欠点がある。例えば、内部空気の循環の利便性を高めるために、通常の空調設備は室内の空間で比較的高い位置に設けられる。しかし、このような設置方法は頻繁にフィルターの取外し動作を行うには不便であり、よって利用者がフィルターの洗浄と交換を行うのが疎かになり、時間が経過すると空調設備の温度および／または湿度調節および空気の清浄能力が落ちる事になる。
【０００６】
また、高い所に設置すると使用者がフィルターを取外す際に怪我しやすく、かつ空調設備内部フィルターの取外し構造の設計がそれぞれ異なることから、取外しおよび組立てし難い構造の種類もあり、使用者の操作面での困難をきたし、また取外し構造が相対的に脆弱な材質または設計をしていれば、頻繁にフィルターの取外し動作を行なうことで、容易に取外し構造が破断されて、フィルターを取付けられなくなる。
【０００７】
故にフィルター自動交換装置を如何に発展させ周知の技術が直面している問題を解決するかは、実に現在の関連分野の業者にとって切迫した解決すべき問題である。
【０００８】
この発明の主な目的は、一種のフィルター自動交換装置を提供し、例えば空調設備、油煙排出機、濾過設備および下水道システム内に応用し、設備またはシステム内部のフィルターの洗浄または交換の利便性を高めることにある。
【０００９】
この発明の他の目的は、一種のフィルター自動交換装置を提供し、フィルター交換の過程で、フィルターが収集した微粉粒子が設備またはシステム内部に流入する、或いは設備またはシステムによって環境内に還流する、ことを避けることにある。
【００１０】
この発明の他の目的は、フィルター自動交換装置を提供し、自動制御方法によって設備またはシステム内部のフィルターの清浄または交換をし、使用者がフィルターの取外しで遭遇する危険と問題の可能性を軽減することにある。
【課題を解決するための手段】
【００１１】
上記の目的を達成するため、この発明のフィルター自動交換装置は設備またはシステム内に応用されるものであり、少なくともフィルターと、フィルターの移動に用いる伝導装置と、伝導装置に接続されてフィルターの使用状態に応じて伝導装置を自動駆動してフィルターの移動を起動してフィルターを自動的に交換する動力装置とを
有してなるものである。
【００１２】
この発明の一実施例は循環式フィルターと、循環式フィルターの移動を起動する伝導装置と、伝導装置に接続されて循環式フィルターの使用状態に応じて伝動装置を自動駆動して循環式フィルターの移動を起動して循環式フィルターを自動的に交換する動力装置と循環式フィルターの洗浄に用いる洗浄装置とを有するものである。
【００１３】
この発明の他の実施例はフィルターと、フィルターの移動を起動してかつ第１のフィルター回転軸および第２のフィルター回転軸が含まれる伝導軸ユニットと、第１のフィルター回転軸に接続されてフィルターの使用状態に応じて伝動軸ユニットを自動駆動してフィルターの移動を起動しフィルターを自動的に交換する動力装置とを有してなるものである。
【実施例】
【００１４】
図２ａ〜ｂは好ましい実施例を空調設備に設置した略図である。この発明のフィルター自動交換装置３は空調設備２内部への設置が比較的良く、微粉粒子収集のフィルターとして自動交換または洗浄処理に用いることができる。当然、この発明のフィルター自動交換装置３は例えば油煙排除機、濾過設備または下水道システムの内部に用いることもでき、かつこれに限定されない。実施例の中で，図２ａに示したように、この発明のフィルター自動交換装置３は空調設備２の本体２０の前面板２１背部に設けられ、よって単に前面板２１を取替えるだけで、使用者によりフィルター自動交換装置３を設置するかまたは設置しないかを選択できる。
【００１５】
また別の実施例の中で、図２ｂに示したように、この発明のフィルター自動交換装置３を取外し可能式箱状構造に設計でき、それを空調設備２の本体２０上に設け、かつ前面板２１の空気取入れ口に向き合わせ、よって単に箱状構造を交換するだけで、使用者に依ってフィルター自動交換装置３を設置するかまたは設置しないかを選択でき、このように生産および製造の利便性向上のみならず、選択の柔軟性の向上およびコスト節約を図ることができる。
【００１６】
図３に示した実施例においては、フィルター自動交換装置３は少なくとも１つのフィルター３１、伝動装置３２および動力装置３３が含まれており、その中のフィルター３１は空調設備２の空気取入れ口（図示せず）から捕捉した微粉粒子の収集に用いられ、伝動装置３２はフィルター３１を載せる、並びにフィルター３１を動かすのに用い、かつ動力装置３３は伝動装置３２に接続され、フィルター３１の使用状態に応じて伝動装置３２を自動駆動してフィルター３１の移動を起動し、これによってフィルター３１を自動的に交換する。
【００１７】
これらの実施例中において、フィルター３１は巻き軸式フィルターでもよく、かつフィルター３１の表面はおよそ空調設備２の空気取入れ口に向いており、これにより空調設備２の空気取入れ口で捕捉した微粉粒子の収集の利便性が高まる。また、伝動装置３２は一伝動軸ユニットで構成することができ、その中の前記伝動軸ユニットは例えば第１のフィルター回転軸３２１および第２のフィルター回転軸３２２が含まれ、前記第１のフィルター回転軸３２１は使用済みのフィルター３１の巻取りに用いることができる。
【００１８】
前記第２のフィルター回転軸３２２は未使用のフィルター３１部分を送り出すことができ、これによって前記第１のフィルター回転軸３２１、第２のフィルター回転軸３２２およびフィルター３１が互いに組み合わさることによりフィルター３１を動かしてその移動と交換が行なわれる。また、動力装置３３は例えばステップモーターまたはモーターにより構成されることができ、それは空調設備２内部の制御ユニット（図示せず）の制御で、伝動装置３２を駆動してフィルター３１の移動を促がすことができる。
【００１９】
この実施例において、動力装置３３は例えば伝動装置３２の第１のフィルター回転軸３２１に接続され、動力装置３３が空調設備２内部の制御ユニットの制御に応じて能力を発揮する時、伝動装置３２を駆動して第１のフィルター回転軸３２１を回転することができ、更にフィルター３１の移動および第２のフィルター回転軸３２２の回転を促がすことになる。
【００２０】
伝動装置３２の第１のフィルター回転軸３２１が回転した後、使用済みのフィルター３１部分は第１のフィルター回転軸３２１に巻取られ、かつ第２のフィルター回転軸３２２は未使用のフィルター３１部分を送り出し、これによってフィルター３１の交換を完了させることができる。
【００２１】
図４は図３で示した構造が代表的空調設備内部に設置された構造側面図である。図３および図４で示したように、使用済みのフィルター３１は動力装置３３が伝動装置３２の第１のフィルター回転軸３２１を駆動し、第１のフィルター回転軸３２１の回転で巻取られ、第２のフィルター回転軸３２２は相対的に駆動を受けて相当長さのフィルター３１を送り出し、よって使用済みのフィルター３１は巻取りが行なわれ並びにフィルター３１上の微粉粒子が収集され、その中に包まれて、空調設備２内部に放散したりまたは気流に載って環境中に進入したりすることはない。
【００２２】
この実施例中において、空調設備２は隣接する第１のフィルター回転軸３２１および内部冷却管２２上方の位置に選択的に１つの集塵部２３を設け、フィルター交換過程中に微粉粒子が更に空調設備２内部に落ちないように収集することができる。
【００２３】
図５に示す実施例中において、フィルター３１は巻き軸式フィルターでも良い。また、伝動装置３２は伝動軸ユニットで構成されても良く、その中の前記伝動軸ユニットは駆動歯車３２３、第１の歯車ユニット３２４、第１のフィルター回転軸３２５、第２の歯車ユニット３２６、伝動ベルト３２７および第２のフィルター回転軸３２８を有している。
【００２４】
駆動歯車３２３と動力装置３３は接続され、動力装置３３の駆動に応じて回転する。第１の歯車ユニット３２４は駆動歯車３２３と互いに組み合わされ、駆動歯車３２３の駆動に応じて回転する。また、第１のフィルター回転軸３２５と第１の歯車ユニット３２４は接続され、第１の歯車ユニット３２４の回転に応じて回転し並びに部分フィルター３１を移動させる。
【００２５】
第２の歯車ユニット３２６は第１の歯車ユニット３２４に相対し、かつ伝動ベルト３２７は第１の歯車ユニット３２４と第２の歯車ユニット３２６に接続され、第１の歯車ユニット３２４の回転に応じて第２の歯車ユニット３２６の回転を起動する。また、第２のフィルター回転軸３２８と第２の歯車ユニット３２６を接続し、第２の歯車ユニット３２６の回転に応じて既に第２のフィルター回転軸３２８に部分的に巻取られたフィルター３１を送り出す。
【００２６】
この実施例の中において、フィルター交換過程中に微粉粒子が更に空調設備２内部に落ちないように収集することができる。
【００２７】
この実施例中において、伝動装置３２、動力装置３３およびフィルター３１間の操作原理は図３および図４で示された実施例に類似しているため、此処では再び述べない。また、空調設備２も図４で示した実施例同様、選択的に集塵部（図示せず）を第１のフィルター回転軸３２５の下方に設け、フィルター交換過程中に微粉粒子が更に空調設備２内部に落ちないように収集することができる。
【００２８】
また、図３または図５で示した伝動装置３２の構造のうちいずれを採用しても、これら実施例中で、使用後のフィルター３１は伝動装置３２の第１のフィルター回転軸３２１、３２５上に巻取られることにより、使用者はフィルター３１が全部使用された後、再びフィルター３１を取外して交換または洗浄することができ、このように頻繁にフィルターを取外すことによる危険および問題を避けることができる。
【００２９】
置換えができる実施例中において、この発明のフィルター自動交換装置３は、フィルター３１、伝動装置３２および動力装置３３以外に、位置決め機構３４を有しており、フィルター３１の位置決め、フィルター３１を平らに整理しフィルター３１の張力を提供する等に用いることができる。
【００３０】
図６に示すように、位置決め機構３４は、例えば少なくとも１つの位置決め板３４１および少なくとも１つのバネユニット３４２が含まれており、その中の位置決め板３４１は伝動装置３２の第２のフィルター回転軸３２２、３２８と相組み合わされており、フィルター３１の位置決めおよびフィルター３１を平らに整えるのに用いられる。
【００３１】
バネユニット３４２、例えばカーテン内部で使われている預力バネ（図示せず）は位置決め板３４１に接続され、前記バネユニット３４２は位置決め板３４１に張力を提供し、更に位置決め板３４１にフィルター３１の位置決めをさせおよびフィルター３１を平らに整えさせる。
【００３２】
バネユニット３４２は１つの収納箱３４３内または第２のフィルター回転軸３２２、３２８内に設けることができ、その中の収納箱３４２は第２のフィルター回転軸３２２、３２８の側端に設けられ、よって、第２のフィルター回転軸３２２、３２８が回転する時、バネユニット３４２が強く作用し、これによってバネユニット３４２を利用して位置決め板３４１の張力を提供し、更にフィルター３１の位置決めを行い、平らに整える。
【００３３】
その他の置換え可能な実施例中において、使用後のフィルター３１部分は伝動装置３２の第１のフィルター回転軸３２１、３２５に巻取らないで、直接切り裂いて廃棄する。これら実施例の中で、この発明のフィルター自動交換装置３は、フィルター３１、伝動装置３２および動力装置３３以外に、更に１つの裁断機構３５を増設し、部分フィルター３１の切断に用いることができる。
【００３４】
図７ａ〜ｂに示したように、この発明のフィルター自動交換装置３の裁断機構３５は伝動装置３２の第１のフィルター回転軸３２１、３５２に隣接し、伝動装置３２の第１のフィルター回転軸３２１、３２５で駆動して送り出し、かつ第１のフィルター回転軸３２１、３２５に巻取っていないフィルター３１部分を裁断する。
【００３５】
使用者が制御または予定の使用時間後にフィルター自動交換装置３のスイッチを入れた時、動力装置３３は伝動装置３２を駆動させ、第１のフィルター回転軸３２１、３２５はこれにより回転し、よって使用済みのフィルター３１部分は第１のフィルター回転軸３２１、３２５の動きにより空調設備２の外に伸び、このように内部の裁断機構３５を利用して使用済みのフィルター３１部分を手動または自動方式で切断廃棄することができる。
【００３６】
図７ａは手動式裁断機構の構造略図である。前記手動式裁断機構３５は鋸歯状切断部３５１で構成され、それは使用済みのフィルター３１部分を手動方式で切断除去することができる。また、未使用のフィルター３１部分は動力装置３３および伝動装置３２の組合せにより、第２のフィルター回転軸３２２、３２８が回転して未使用のフィルター３１を送り出し、これによってフィルター３１の交換を完了することができる。
【００３７】
図７ｂは自動式裁断機構の構造略図である。前記自動式裁断機構３５は、例えば駆動モータ３５２、第１の回転軸３５３、第２の回転軸３５４、伝動ベルト３５５および裁断ユニット３５６が含まれ、その中の裁断ユニット３５６は伝動ベルト３５５上に設けられ、駆動モータ３５２が第２の回転軸３５４を駆動することにより、更に伝動ベルト３５５を動かして前記第１の回転軸３５３および第２の回転軸３５４を巡って回転し、切断ユニット３５６を動かし前記使用済みのフィルター３１部分を自動的に切断する。
【００３８】
図８ａ〜ｆで示したように、この発明のフィルター自動交換装置３で使用されたフィルター３１は選択可能に複数個にのぼる図案を少なくとも１つの表面に形成している。その中で、フィルター３１は図８ａに示したような折り線を付した図案３１１および図８ｂ〜ｆに示したような各種切取り線を付した図案３１２〜３１６を有し、かつ前記折り線３１１または切取り線３１２〜３１６は前記フィルター３１を複数個のフィルターユニット３１７に分ける。
【００３９】
前記切取り線３１２〜３１６は各前記隣接するフィルターユニット３１７間に少なくとも２個の接続部３１２ａ〜３１６ａを持たせている。また、実施例中において、図９ａ、ｂで示したように、前記フィルター３１は１つの平面または１つの曲面を具えることができ、かつこれに限定されない。
【００４０】
図１０ａ〜ｂに示したように、この発明のフィルター自動交換装置３で使用されたフィルター３１は例えば折畳み式フィルターでも良い。その中の、折畳み式フィルターは図１０ａに示すように単一の細長いフィルターが折畳んで構成されるか、もしくは図１０ｂに示すように取出し式ティッシュペーパーのように多くの紙に分離したフィルターユニットで、両方が相接して畳み込んで構成されていてもよい。
【００４１】
この発明のフィルター自動交換装置３は折畳み式フィルター３１を使用した時、フィルター自動交換装置３は更に１つの収納部３６を設置することができ、図１１に示すように、折畳み式フィルターを収容する。
【００４２】
実施例中において、この発明のフィルター自動交換装置３が図１０ａ〜ｂに示したような折畳み式フィルター３１を採用する時、伝動装置３２もまた図３または図５に示すような構造を使用することができる。
【００４３】
図５に示すような伝動装置を採用した時を例にすると、伝動装置３２は駆動歯車３２３、第１の歯車ユニット３２４、第１のフィルター回転軸３２５、第２の歯車ユニット３２６、伝動ベルト３２７および第２フィルター回転３２８が含まれる。その中の駆動歯車３２３は動力装置３３に接続され、動力装置３３の駆動に応じて回転する。
【００４４】
第１の歯車ユニット３２４は駆動歯車３２３と相組み合わされ、駆動歯車３２３の駆動に応じて回転する。第１のフィルター回転軸３２５と第１の歯車ユニット３２４は相組み合わされ、第１の歯車ユニット３２４の回転に応じて部分フィルター３１を移動する。第２の歯車ユニット３２６は第１の歯車ユニット３２４に相対し、伝動ベルト３２７は第１の歯車ユニット３２４と第２の歯車ユニット３２６に接続され、第１の歯車ユニット３２４の回転に応じて第２の歯車ユニット３２６の回転を促がす。
【００４５】
第２のフィルター回転軸３２８は第２の歯車ユニット３２６に接続され、第２の歯車ユニット３２６の回転に応じて、収納部３６内の折畳み式フィルター３１を動かして抜き取る。
【００４６】
実施例中において、この発明のフィルター自動交換装置３が図１０ａに示すような折畳み式フィルター３１を使用する時、同様に第１のフィルター回転軸３２１、３２５により使用済みのフィルター３１を巻取った後再び取外して交換または洗浄することができる。また、フィルター自動交換装置３はまた図６に示すような位置決め機構３４を設けることもでき、フィルター３１の位置決めをし、フィルター３１を平らに整えてフィルター３１の張力を提供する。
【００４７】
図７ａ〜ｂに示すような裁断機構３５を設け、使用済みのフィルター３１部分を分割切除する。別の実施例中において、この発明のフィルター自動交換装置３が図１０ｂに示すような折畳み式フィルター３１を使用する時、図６に示すような位置決め機構３４を設置することができるが、図７ａ〜ｂに示すような裁断機構３５の使用を必要とせずに使用済みのフィルター３１を切除できる。
【００４８】
図１２ａ〜ｂに示すように、この発明のフィルター自動交換装置は更に１つのセンサー装置３７を含み、前記フィルター３１に隣接して設けられ、フィルター３１の使用状態を測定するのに用いられ、並びに１つのセンサー信号Ｓ１の発生に応じて、空調設備２内の制御ユニット２４に伝送し、１つの制御信号Ｃ１の発生により前記動力装置３３に送り伝動装置３２を駆動する。
【００４９】
センサー装置３７は図１２ａに示すような遮断式センサー装置または図１２ｂに示すような反射式センサー装置のいずれでも良いが、これに限定されない。
【００５０】
図１２ａ〜ｂに示す、実施例中において、この発明のフィルター自動交換装置３は更に１つの警報装置３８を含んでおり、空調設備２の内部または外部に設置され、前記制御ユニット２４の制御信号Ｃ１に応じて警報信号を出し、これによって使用者にフィルター３１の交換時期を知らせるまたは使用済みのフィルター３１を切断廃棄する。
【００５１】
また、この発明のフィルター自動交換装置３は更に１つの遠隔制御信号受信装置３９を設置することができ、１つのリモコン装置４０の遠隔制御信号を受信し、使用者がフィルター３１の自動交換またはその他の処理を遠隔制御するのに便利である。
【００５２】
この発明のフィルター自動交換装置３は、例えば空調設備２の送風が止まった時のフィルター３１の自動交換を行なうことができるが、これに限定されない。また、この発明のフィルター自動交換装置３は単に例えば冷房機、空気清浄機、暖房機および除湿機など空調設備に適用されるだけでなく、更に厨房油煙排出機および下水道システムに応用することができるが、これに限定されない。
【００５３】
図１３に示すように、この発明のフィルター自動交換装置３は下記のものが含まれる。：循環式フィルター４１、伝動装置３２、動力装置３３および洗浄装置４２。その中で、伝動装置３２は循環式フィルター４１の移動を促がし、動力装置３３は伝動装置３２に接続され、循環式フィルター４１の使用状態に応じて伝動装置３２を自動駆動して循環式フィルター４１の移動を起動して循環式フィルター４１の自動交換をする。また、洗浄装置４２は前記循環式フィルター４１の洗浄に用いられる。
【００５４】
この実施例中において、伝動装置３２と動力装置３３の構造および機能は図３および図５に示す実施例に類似しており、並びにそれぞれ対応して図１３および図１４中に明示されている。
【００５５】
フィルター自動交換装置３の位置決め機構３４（図６に示したように）、センサー装置３７、警報装置３８、遠隔制御信号受信装置３９および空調設備２の制御ユニット２４とリモコン装置４０の構造と原理は前記の実施例に類似している。
【００５６】
この実施例中において、前記の実施例と異なるのはフィルター自動交換装置３に循環式フィルター４１および洗浄装置４２を採用して循環式フィルターを自動的に洗浄と使用し、フィルターの交換を完了している点である。循環式フィルター４１は伝動装置３２の第１のフィルター回転軸３２１、３２５と第２のフィルター回転軸３２２、３２８上に被せ設けており、よって動力装置３３および伝動装置３２の駆動により循環式フィルター４１の移動と循環ができる。
【００５７】
図１３と図１４に示したように、フィルター自動交換装置３の洗浄装置４２は例えば第１のブラシ装置４２１が含まれ、伝動装置３２の第１のフィルター回転軸３２１、３２５および第２のフィルター回転軸３２２、３２８の間の位置でかつ隣接し並びに実質的に循環式フィルター４１の表面と接触するように設けられ、これによって循環式フィルター４１が移動した時に循環式フィルター４１表面に収集した微粉粒子を擦り取る。
【００５８】
また、実施例中において、洗浄装置４２は１つの第２のブラシ装置４２２でも良く、第２のフィルター回転軸３２２、３２８に隣接して設けられ、かつ第２のフィルター回転軸３２２、３２８上の循環式フィルター４１の表面と接触し、これによって循環式フィルター４１が移動した時に循環式フィルター４１表面に収集した微粉粒子を擦り取ることができる。
【００５９】
また第２のフィルター回転軸３２２、３２８および第２のブラシ装置４２２を１つの洗浄水槽４２３内に設け、これによって洗浄水槽４２３内の洗浄液が循環式フィルター４１を洗浄する。
【００６０】
別の実施例中において、洗浄装置４２は１つの超音波装置４２４でも良く、かつ第２のフィルター回転軸３２２、３２８を洗浄水槽４２３内に設け、これによって超音波装置４２４で発生した音波振動により、循環式フィルター４１表面に収集した微粉粒子を洗浄水槽４２３内部の洗浄液中に落とすことができる。
【００６１】
その他の実施例中において、洗浄装置４２は更に例えば吸塵装置４２５でも良く、伝動装置３２の第１のフィルター回転軸３２１、３２５および第２のフィルター回転軸３２２、３２８の間の位置に設けられ、かつ循環式フィルター４１の表面に隣接し、循環式フィルター４１の表面に収集した微粉粒子を吸い取って除去し、循環式フィルター４１の洗浄交換の目的を達成することができる。
【００６２】
吸塵装置４２５は第１のブラシ装置４２１と相組合せることができ、第１のブラシ装置４２１で払い落とした微粉粒子を吸塵除去する。
【００６３】
図１５に示すように、洗浄装置４２は回転翼装置４２６でも良く，かつ第２のフィルター回転軸３２２、３２８を洗浄水槽４２３内部に設け、回転翼装置４２６が洗浄水槽４２３内部の洗浄液を攪拌することにより、循環式フィルター４１表面に収集した微粉粒子を洗浄液で洗浄することができ、フィルター交換の目的を達成できる。
【００６４】
図１６に示すように、洗浄装置４２はまた液供給ポンプ装置４２７でも良く、前記液供給ポンプ装置４２７はポンプ４２７１、冷却水回収装置４２７２および収集タンク４２７３が含まれ、その中の収集タンク４２７３は冷却水回収装置４２７２で回収した冷却水または外部で供給した洗浄液を回収する。
【００６５】
後にポンプ４２７１と配管４２７４、４２７５を利用して収集タンク４２７３内部の冷却水または洗浄液を送り出し、循環式フィルター４１に送り込み、特に第１のフィルター回転軸３２１、３２５上の循環式フィルター４１に送り込み、これによって循環式フィルター４１表面に収集した微粉粒子を洗浄水槽４２３内部まで落として洗浄する。
【００６６】
また、その他の置換え可能な実施例中において、図１７に示すように、洗浄装置４２もまた液供給ポンプ装置４２７でも良く、前記液供給ポンプ装置４２７はポンプ４２７１、冷却水回収装置４２７２、収集タンク４２７３、配管４２７４、４２７５を含む以外に、更に１つの洗浄液貯蔵タンク４２７６を含むことができ、前記洗浄液貯蔵タンク４２７６は例えば化学洗浄液のような洗浄液の貯蔵に用いることができる。
【００６７】
前記収集タンク４２７３は１つの第１送入端４２７３ａ、第２送入端４２７３ｂおよび送出端４２７３ｃを具えている。その中で、第１送入端４２７３ａは冷却水回収装置４２７２に接続され、空調設備内部で回収した冷却水を前記収集タンク４２７３に導入する。前記第２送入端４２７３ｂは前記洗浄液貯蔵タンク４２７６に接続され、前記洗浄液を前記収集タンク４２７３に導入する。また、送出端４２７３ｃは配管４２７４に接続され、収集タンク４２７３内の洗浄液をポンプ４２７１および配管４２７４、４２７５により循環式フィルター４１に排出し、これによって循環式フィルター４１表面に収集した微粉粒子を洗浄水槽４２３内部まで落として洗浄する。
【００６８】
当然、洗浄液貯蔵タンク４２７６内の洗浄液は動力装置３３が動き始めた時に前記収集タンク４２７３に自動的に導入されることも可能であるが、これに限定されない。
【００６９】
図１８に示すように、洗浄装置４２は冷却水回収装置４２７２および洗浄水槽４２３を含むことができ、その中で第２のフィルター回転軸３２２は洗浄水槽４２３の洗浄液中に設置され、並びに冷却水回収装置４２７２により空調設備２内部の冷却水を収集し、並びにそれを洗浄水槽４２３内に導入し、洗浄液の主な出所とし、これによって循環式フィルター４１表面に収集した微粉粒子を洗浄水槽４２３内部の洗浄液により洗浄する。
【００７０】
実施例中において、図１３と図１４に示すように、フィルター自動交換装置３の洗浄装置４２は更に１つの乾燥装置４２８を含むことができ、伝動装置３２の第１のフィルター回転軸３２１、３２５および第２のフィルター回転軸３２２、３２８の間の位置に設置されかつ循環式フィルター４１の表面に隣接し、これによって前記循環式フィルター４１を乾燥することができる。
【００７１】
この発明のフィルター自動交換装置はフィルター、伝動装置および動力装置を利用してフィルターの自動交換または洗浄の目的を達成するものである。この発明のフィルター自動交換装置は自動制御方式により設備またはシステム内部のフィルターを洗浄または交換し、使用者がフィルターの取外しで遭遇する危険および問題を軽減する。また、この発明のフィルター自動交換装置はフィルターの交換過程でフィルターが収集した微粉粒子が設備またはシステム内部に流入しまたは設備やシステムで環境中に還流するのを避けることができる。よって、この発明は極めて産業的価値が高い。
【図面の簡単な説明】
【００７２】
【図１】従来の取外し可能なフィルタを具えた空調設備の構造略図である。
【図２ａ】この発明の好ましい実施例のフィルター自動交換装置の代表的な空調設備に設けられた構造略図である。
【図２ｂ】この発明の好ましい実施例のフィルター自動交換装置の代表的な空調設備に設けられた構造略図である。
【図３】この発明の好ましい実施例のフィルター自動交換装置の構造略図である。
【図４】図３に示す構造が代表的な空調設備内部に設けられた構造側面図である。
【図５】この発明の好ましい実施例のフィルター自動交換装置が別の伝動装置を使用した構造略図。
【図６】この発明の比較的良い実施例のフィルター自動交換装置で使用した位置決め機構の構造略図である。
【図７ａ】この発明の好ましい実施例のフィルター自動交換装置で使用した手動式および自動式裁断機構の構造略図である。
【図７ｂ】この発明の好ましい実施例のフィルター自動交換装置で使用した手動式および自動式裁断機構の構造略図である。
【図８ａ】この発明の好ましい実施例のフィルター自動交換装置で使用したフィルターの設計略図である。
【図８ｂ】この発明の好ましい実施例のフィルター自動交換装置で使用したフィルターの設計略図である。
【図８ｃ】この発明の好ましい実施例のフィルター自動交換装置で使用したフィルターの設計略図である。
【図８ｄ】この発明の好ましい実施例のフィルター自動交換装置で使用したフィルターの設計略図である。
【図８ｅ】この発明の好ましい実施例のフィルター自動交換装置で使用したフィルターの設計略図である。
【図８ｆ】この発明の好ましい実施例のフィルター自動交換装置で使用したフィルターの設計略図である。
【図９ａ】この発明の好ましい実施例のフィルター自動交換装置で使用したフィルターの側面図である。
【図９ｂ】この発明の好ましい実施例のフィルター自動交換装置で使用したフィルターの側面図である。
【図１０ａ】この発明の好ましい実施例のフィルター自動交換装置に適用する別のフィルター構造略図である。
【図１０ｂ】この発明の好まし良い実施例のフィルター自動交換装置に適用する別のフィルター構造略図である。
【図１１】この発明の好ましい実施例のフィルター自動交換装置で使用された収容部構造略図である。
【図１２ａ】この発明の好ましい実施例のフィルター自動交換装置のセンサー装置と警報装置の構造略図である。
【図１２ｂ】この発明の好ましい実施例のフィルター自動交換装置のセンサー装置と警報装置の構造略図である。
【図１３】この発明の別の好ましい実施例の図３に示した伝導装置を使用したフィルター自動交換装置の構造略図である。
【図１４】この発明の好ましい実施例の図５に示した伝導装置を使用したフィルター自動交換装置の構造略図である。
【図１５】この発明の好ましい実施例のフィルター自動交換装置で使用した洗浄装置の構造略図である。
【図１６】この発明の好ましい実施例のフィルター自動交換装置で使用した別の洗浄装置の構造略図である。
【図１７】この発明の好ましい実施例のフィルター自動交換装置で使用したもう具え洗浄装置の構造略図である。
【図１８】この発明の好ましい実施例のフィルター自動交換装置で使用した別の洗浄装置の構造略図である。
【符号の説明】
【００７３】
１：  空調設備
１０：  フィルター
１１：  本体
１２：  前面板
２：  空調設備
２０：  本体
２１：  前面板
２２：  冷却管
２３：  集塵部
２４：  制御ユニット
３：  フィルター自動交換装置
３１：  フィルター
３２：  伝動装置
３３：  動力装置
３４：  位置決め機構
３５：  裁断機構
３６：  収納部
３７：  センサー装置
３８：  警報装置
３９：  遠隔制御信号受信装置
４０：  遠隔リモコン装置
４１：  循環式フィルター
４２：  洗浄装置３１７：  フィルターユニット
３１２ａ〜３１６ａ：  接続部
３２１：  第１のフィルター回転軸
３２２：  第２のフィルター回転軸
３２３：  駆動歯車
３２４：  第１の歯車ユニット
３２５：  第１のフィルター回転軸
３２６：  第２の歯車ユニット
３２７：  伝動ベルト
３２８：  第２のフィルター回転軸
３４１：  位置決め板
３４２：  バネユニット
３４３：  収納箱
３５１：  鋸歯状切断部
３５２：  駆動モータ
３５３：  第１の回転軸
３５４：  第２の回転軸
３５５：  伝動ベルト
３５６：  切断ユニット
４２１：  第１のブラシ装置
４２２：  第２のブラシ装置
４２３：  洗浄水槽
４２４：  超音波装置
４２５：  吸塵装置
４２６：  回転翼装置
４２７：  液供給ポンプ装置
４２８：  乾燥装置
４２７１：  ポンプ
４２７２：  冷却水回収装置
４２７３：  収集タンク
４２７４：  配管
４２７５：  配管
４２７６：  洗浄液貯蔵タンク
４２７３ａ：  収集タンク第１送入端
４２７３ｂ：  収集タンク第２送入端
４２７３ｃ：  収集タンク送出端
Ｓ１：  センサー信号
Ｃ１：  制御信号
【図１】
2008049329.tif 000003
【図２ａ】
2008049329.tif 000004
【図２ｂ】
2008049329.tif 000005
【図３】
2008049329.tif 000006
【図４】
2008049329.tif 000007
【図５】
2008049329.tif 000008
【図６】
2008049329.tif 000009
【図７ａ】
2008049329.tif 000010
【図７ｂ】
2008049329.tif 000011
【図８ａ】
2008049329.tif 000012
【図８ｂ】
2008049329.tif 000013
【図８ｃ】
2008049329.tif 000014
【図８ｄ】
2008049329.tif 000015
【図８ｅ】
2008049329.tif 000016
【図８ｆ】
2008049329.tif 000017
【図９ａ】
2008049329.tif 000018
【図９ｂ】
2008049329.tif 000019
【図１０ａ】
2008049329.tif 000020
【図１０ｂ】
2008049329.tif 000021
【図１１】
2008049329.tif 000022
【図１２ａ】
2008049329.tif 000023
【図１２ｂ】
2008049329.tif 000024
【図１３】
2008049329.tif 000025
【図１４】
2008049329.tif 000026
【図１５】
2008049329.tif 000027
【図１６】
2008049329.tif 000028
【図１７】
2008049329.tif 000029
【図１８】
2008049329.tif 000030